(57)【要約】【課題】一般消費者が簡易な作業によって収容袋を確実に交換することができる流体吐出容器を提供することを目的とする。【解決手段】流体を収容する収容袋２を格納し、収容袋２内の流体を外部に吐出するための流体吐出容器１であって、開口部３３が形成され、開口部３３から貫通孔２２が設けられた雌部材２１を上部に有する収容袋２が格納される下側容器３と、収容袋２の貫通孔２２に挿入される雄部材５１を有する吐出機構５が設けられ、下側容器３に分離可能に設けられる上側容器４と、下側容器３の開口部３３に嵌合される中蓋６とを備え、中蓋６は、上側容器４の内側空間Ｓにおいて移動可能な態様で上側容器４に一体的に設けられる。【選択図】図３
2020019561.tif 000002
【特許請求の範囲】
【請求項１】
流体を収容する収容袋を格納し、該収容袋内の流体を外部に吐出するための流体吐出容器であって、
貫通孔が設けられた雌部材を上部に有する収容袋と、
開口部が形成され、該開口部から前記収容袋が格納される下側容器と、
前記収容袋の前記貫通孔に挿入される雄部材を有する吐出機構が設けられ、前記下側容器に分離可能に設けられる上側容器と、
前記下側容器の開口部に嵌合される中蓋とを備え、
前記中蓋は、前記上側容器の内側空間において上下方向に移動可能な態様で前記上側容器に一体的に設けられ、
前記上側容器と前記下側容器が分離される際、前記上側容器が前記下側容器から離間するのに伴って、前記上側容器の内側空間を相対的に下方に移動したあと、前記上側容器により上方に向けて係止される一方、
前記上側容器と前記下側容器が結合される際、前記上側容器が前記下側容器に近接するのに伴って、前記上側容器の内側空間を相対的に上方に移動したあと、前記上側容器により下方に向けて係止されることを特徴とする流体吐出容器。
【請求項２】
前記下側容器および／または前記中蓋は、対向する前記中蓋または前記下側容器の方向に突出する嵌合用凸部が形成されている請求項１に記載の流体吐出容器。
【請求項３】
前記下側容器および／または前記中蓋は、対向する前記中蓋および／または前記下側容器の嵌合用凸部に係合する嵌合用凹部が形成されている請求項２に記載の流体吐出容器。
【請求項４】
前記上側容器は、周壁の内周面に係止部が設けられ、
前記中蓋は、該上側容器の前記係止部により上方に向けて係止される請求項１から請求項３のいずれかに記載の流体吐出容器。
【請求項５】
前記上側容器は、天壁の上面に前記吐出機構の前記雄部材が挿通可能な上側筒状部が設けられるとともに、該上側筒状部の内周面に係止部が設けられ、
前記中蓋は、該上側筒状部の前記係止部により上方に向けて係止される請求項１から請求項３のいずれかに記載の流体吐出容器。
【請求項６】
前記上側容器は、天壁の下面に前記吐出機構の前記雄部材が挿通可能な下側筒状部が設けられるとともに、該下側筒状部の外周面に係止部が設けられ、
前記中蓋は、該下側筒状部の前記係止部により上方に向けて係止される請求項１から請求項３のいずれかに記載の流体吐出容器。
【請求項７】
流体を収容する収容袋を格納し、該収容袋内の流体を外部に吐出するための流体吐出容器であって、
開口部が形成され、該開口部から貫通孔が設けられた雌部材を上部に有する前記収容袋が格納される下側容器と、
前記収容袋の前記貫通孔に挿入される雄部材を有する吐出機構が設けられ、前記下側容器に分離可能に設けられる上側容器と、
前記下側容器の前記開口部に嵌合される中蓋とを備え、
前記中蓋は、前記上側容器の内側空間において移動可能な態様で前記上側容器に一体的に設けられることを特徴とする流体吐出容器。
【発明の詳細な説明】
【技術分野】
【０００１】
本発明は、流体を収容する収容袋を格納し、該収容袋内の流体を外部に吐出するための流体吐出容器に関するものである。
【背景技術】
【０００２】
従来より、パーマ液、シャンプー、リンス、ボディーソープ、消毒液、調味料等の種々の流体を容器内部に収容し、容器外部に流体を吐出する流体吐出容器が広く用いられている。一般に、この流体吐出容器は、流体を容器内部に直接収容し、容器上部に設けられた手押し式ポンプやトリガー式ポンプ等の吐出機構により容器の内部の流体を吸入して、容器外部に流体を吐出するものである。
【０００３】
このような流体吐出容器は、使用によって容器内部の流体がなくなると容器ごと廃棄されていたが、エコロジー（自然環境保護）の観点から、容器内部の流体がなくなった場合、つめかえ用の袋に収容された同じ流体を流体吐出容器の内部に移し替えることが行われている。ところが、このように流体を袋から容器に移し替えるものだと、流体が袋や容器の外部の空気に触れるため、流体の品質を劣化させる虞があった。
【０００４】
そこで、最近では、容器内部に流体を直接収容するのではなく、流体が収容された収容袋を容器内部に格納し、該収容袋内の流体を外部に吐出する流体吐出容器が注目されている。具体的に説明すると、この流体吐出容器は、貫通孔が設けられた雌部材を上部に有する収容袋と、収容袋が格納される下側容器と、収容袋の雌部材の貫通孔に挿入される雄部材を有する吐出機構が設けられた上側容器とを備える。これによれば、流体が収容された収容袋を下側容器の内部に格納して、吐出機構の雄部材を収容袋の雌部材の貫通孔に挿入しながら、上側容器と下側容器を結合する構造であるため、収容袋に収容された流体を外部の空気に触れることを防止することができる。
【先行技術文献】
【特許文献】
【０００５】
【特許文献１】特開２０１４−６５５３５号
【特許文献２】再公表２０１７−０６１０６０号
【発明の概要】
【発明が解決しようとする課題】
【０００６】
しかしながら、この流体吐出容器は、通常、収容袋に収容された流体を空気に触れさせないようにするために、吐出機構の雄部材が収容袋の雌部材の貫通孔に密着状態に挿入されている。このため、容器に格納された収容袋を交換する際、吐出機構が設けられた上側容器を下側容器と分離すると、それに伴って収容袋が吐出機構の雄部材に挿入されたまま下側容器から取り出されることから、その後、吐出機構の雄部材を収容袋の雌部材から引き抜かなければならず、一般消費者にとって収容袋の交換作業が面倒であるという問題があった。
【０００７】
もとより、収容袋の雌部材を下側容器の開口部に設けられた固定部材に固定する流体吐出容器も知られているが（上記特許文献１、２参照）、一般消費者にとって収容袋の雌部材を下側容器の固定部材に固定することはわかりづらく、かえって収容袋の交換作業が煩雑になる場合もあった。また、収容袋の雌部材を下側容器の固定部材に固定する構造上、下側容器の側面に開口部を設けなければならず、容器のデザインの自由度が低下する場合もあった。
【０００８】
本発明は、上述の問題に鑑みてなされたものであり、一般消費者が簡易な作業によって収容袋を確実に交換することができる流体吐出容器を提供することを目的とする。
【課題を解決するための手段】
【０００９】
本発明は、上記目的を達成するために、流体を収容する収容袋を格納し、該収容袋内の流体を外部に吐出するための流体吐出容器であって、貫通孔が設けられた雌部材を上部に有する収容袋と、開口部が形成され、該開口部から前記収容袋が格納される下側容器と、前記収容袋の前記貫通孔に挿入される雄部材を有する吐出機構が設けられ、前記下側容器に分離可能に設けられる上側容器と、前記下側容器の開口部に嵌合される中蓋とを備え、前記中蓋は、前記上側容器の内側空間において上下方向に移動可能な態様で前記上側容器に一体的に設けられ、前記上側容器と前記下側容器が分離される際、前記上側容器が前記下側容器から離間するのに伴って、前記上側容器の内側空間を相対的に下方に移動したあと、前記上側容器により上方に向けて係止される一方、前記上側容器と前記下側容器が結合される際、前記上側容器が前記下側容器に近接するのに伴って、前記上側容器の内側空間を相対的に上方に移動したあと、前記上側容器により下方に向けて係止されることを特徴とする。
【００１０】
これによれば、上側容器と下側容器が分離される際、前記上側容器が前記下側容器から離間するのに伴って、中蓋が上側容器の内側空間を相対的に下方に移動することによって、中蓋が下側容器の開口部に嵌合された状態を維持するため、中蓋により収容袋を押さえながら吐出機構の雄部材を収容袋の雌部材からスムーズに引き抜くことができる。また、その後、中蓋が上側容器により上方に向けて係止されるため、上側容器により中蓋を持ち上げながら下側容器の開口部から自動的に取り外すことができる。
【００１１】
また、上側容器と下側容器が結合される際、前記上側容器が前記下側容器に近接するのに伴って、中蓋が上側容器の内側空間を相対的に上方に移動することによって、吐出機構の雄部材を収容袋の雌部材にスムーズに差し込むことができる。また、その後、中蓋が上側容器により下方に向けて係止されるため、上側容器により中蓋を押さえながら下側容器の開口部に嵌合することができる。
【００１２】
前記下側容器または前記中蓋は、対向する前記中蓋または前記下側容器の方向に突出する嵌合用凸部が形成されてもよい。さらに、前記下側容器または前記中蓋は、対向する前記中蓋または前記下側容器の嵌合用凸部に係合する嵌合用凹部が形成されてもよい。これによれば、中蓋を下側容器に確実に嵌合することができる。
【００１３】
また、前記上側容器は、周壁の内周面に係止部が設けられ、前記中蓋は、該上側容器の前記係止部により上方に向けて係止されてもよい。また、前記上側容器は、天壁の上面に前記吐出機構の前記雄部材が挿通可能な上側筒状部が設けられるとともに、該上側筒状部の内周面に係止部が設けられ、前記中蓋は、該上側筒状部の前記係止部により上方に向けて係止されてもよい。また、前記上側容器は、天壁の下面に前記吐出機構の前記雄部材が挿通可能な下側筒状部が設けられるとともに、該下側筒状部の外周面に係止部が設けられ、前記中蓋は、該下側筒状部の前記係止部により上方に向けて係止されてもよい。これによれば、中蓋を上側容器に確実に係止させることができる。
【００１４】
また、本発明は、流体を収容する収容袋を格納し、該収容袋内の流体を外部に吐出するための流体吐出容器であって、開口部が形成され、該開口部から貫通孔が設けられた雌部材を上部に有する前記収容袋が格納される下側容器と、前記収容袋の前記貫通孔に挿入される雄部材を有する吐出機構が設けられ、前記下側容器に分離可能に設けられる上側容器と、前記下側容器の前記開口部に嵌合される中蓋とを備え、前記中蓋は、前記上側容器の内側空間において移動可能な態様で前記上側容器に一体的に設けられることを特徴とする。
【発明の効果】
【００１５】
本発明によれば、上側容器と下側容器が分離されると、前記上側容器が前記下側容器から離間するのに伴って、中蓋が上側容器の内側空間を相対的に下方に移動することによって、中蓋が下側容器の開口部に嵌合された状態を維持するため、中蓋により収容袋を押さえながら吐出機構の雄部材を収容袋の雌部材からスムーズに引き抜くことができる。また、その後、中蓋が上側容器により上方に向けて係止されるため、上側容器により中蓋を持ち上げながら下側容器の開口部から取り外すことができる。
【００１６】
また、上側容器と下側容器が結合されると、前記上側容器が前記下側容器に近接するのに伴って、中蓋が上側容器の内側空間を相対的に上方に移動することによって、吐出機構の雄部材を収容袋の雌部材にスムーズに差し込むことができる。また、その後、中蓋が上側容器により下方に向けて係止されるため、上側容器により中蓋を押さえながら下側容器の開口部に嵌合することができる。
【００１７】
而して、一般消費者は、容器に格納された収容袋を交換する際、上側容器と下側容器を分離して、下側容器から空の収容袋を取り出した後、下側容器に新たな収容袋を格納して、上側容器と下側容器を結合するという簡易な作業によって、容器における収容袋を確実に交換することが可能となる。
【００１８】
しかも、下側容器の側面に収容袋を収容するための開口部を必ずしも設ける必要がないため、容器のデザインの自由度を向上させることが可能となる。
【図面の簡単な説明】
【００１９】
【図１】本発明の第１の実施形態に係る流体吐出容器の斜視図である。
【図２】図１の流体吐出容器の分解斜視図である。
【図３】図１の流体吐出容器の要部を拡大した断面図である。
【図４】図１の流体吐出容器の上側容器と下側容器を分離する過程を示す図である。
【図５】図１の流体吐出容器の上側容器と下側容器を結合する過程を示す図である。
【図６】第２の実施形態に係る流体吐出容器の断面図である。
【図７】第３の実施形態に係る流体吐出容器の断面図である。
【発明を実施するための形態】
【００２０】
＜第１の実施形態＞
次に、本発明に係る流体吐出容器（以下、本容器１という）の第１の実施形態について図１〜図４を参照しつつ説明する。
【００２１】
本容器１は、図１および図２に示すように、シャンプーやリンス、化粧液等の流体を収容する収容袋２と、収容袋２が格納される下側容器３と、下側容器３に分離可能に設けられる上側容器４と、上側容器４に設けられた吐出機構５と、下側容器３に嵌合される中蓋６とを備える。
【００２２】
前記収容袋２は、一般にパウチと呼ばれる合成樹脂素材からなる可撓性の袋体である。この収容袋２は、上端部に剛性の樹脂等により形成された雌部材２１を有し、該雌部材２１に上下方向に延びる貫通孔２２が形成されている。この雌部材２１の貫通孔２２に後述の吐出機構５の雄部材５１が密着状態に挿入されることにより、収容袋２に収容された流体が外部の空気に触れることなく、収容袋２と吐出機構５を接続することができる。
【００２３】
前記下側容器３は、収容袋２の側面を被覆する円筒状の周壁３１と、収容袋２の底面を支承する円板状の底壁３２とを有し、上部に開口部３３が形成され、該開口部３３から収容袋２が差し入れられることにより下側容器３に収容袋２が格納される。
【００２４】
また、前記下側容器３は、周壁３１の外周面３１ａの上部に雄螺子部３４が形成されている。この結合用雄螺子部３４は、後述する上側容器４の雌螺子部４３と螺合する。
【００２５】
また、前記下側容器３は、周壁３１の内周面３１ｂの上端部に嵌合用凹部３５が形成されている。この嵌合用凹部３５は、中蓋６が下側容器３の開口部３３に完全に嵌合したときに、後述する中蓋６の嵌合用凸部６３に係合するものであり、下側容器３の周方向に沿って延びる態様に形成されている。
【００２６】
前記上側容器４は、収容袋２の側面上部を被覆する円筒状の周壁４１と、収容袋２の上面を被覆する円板状の天壁４２と有し、周壁４１と天壁４２とにより下方に開放された内側空間Ｓが形成されている。  
【００２７】
また、前記上側容器４は、周壁４１の内周面４１ａの下部に雌螺子部４３が形成されており、上側容器４の雌螺子部４３と下側容器３の雄螺子部３４が螺合することにより、上側容器４と下側容器３が結合される。
【００２８】
また、前記上側容器４は、周壁４１の内周面４１ａの結合用雌螺子部４３の上側において、中蓋６を上方に向けて係止する係止部４４が設けられている。具体的には、雌螺子部４３が設けられた内周面４１ａがその上側の内周面４１ａよりも径方向内側に突出しており、係止部４４は雌螺子部４３が設けられた内周面４１ａとその上側の内周面４１ａの境界に形成された段部により構成される。
【００２９】
また、前記上側容器４は、天壁４２の上面に円筒状の上側筒状部４５が設けられている。この上側筒状部４５は、吐出機構５に螺子等により接続されるとともに、吐出機構５の雄部材５１が挿通されるようになっている。
【００３０】
前記吐出機構５は、いわゆるプッシュ式ポンプディスペンサが採用されており、下端部に吸入口５１ａを有する管状の雄部材５１と、流体を吸引するためのポンプ部５２と、流体を吐出する吐出口５３とを備え、ポンプ部５２を手で一回ないし複数回押し下げることにより、収容袋２に収容された流体を雄部材５１を通じて吸入して、吐出口５３から容器外部に吐出する。
【００３１】
前記中蓋６は、下側容器３の開口部３３の内側縁部に嵌合されるものであって、収容袋２の上方を被覆する円形状の天板６１と、天板６１の周端部６１ａよりやや内側の位置から下方に立設された側板６２とを備え、上側容器の内側空間Ｓにおいて上下方向に移動可能な態様で上側容器４に一体的に設けられている。
【００３２】
前記天板６１は、中央に貫通孔６１ｂが設けられ、該貫通孔６１ｂに吐出機構５の雄部材５１が挿入される。また、前記天板６１は、周端部６１ａが上側容器４の内周面４１ａの上側に摺動可能な態様で内側空間Ｓに配置されている。このため、天板６１は、水平状態を維持しながら内側空間Ｓを上下方向に移動することができ、上方に移動した場合には上面が上側容器４の天壁４２の下面に係止される一方、下方に移動した場合には下面が上側容器４の係止部４４に係止される。
【００３３】
前記側板６２は、中蓋６の径方向に対向する態様で２つに分割されており、下側容器３の内周面３１ｂに沿う形状に形成されている。このため、中蓋６が下側容器３に完全に嵌合したとき、側板６２の外周面６２ａが下側容器３の内周面３１ｂに密着状態で当接する。
【００３４】
また、前記側板６２は、天板６１の周端部６１ａにおいてやや内側の位置に設けられている。このため、中蓋６が下側容器３に完全に嵌合したとき、天板６１の周端部６１ａの下面が下側容器３の上端部に係止される。
【００３５】
また、前記側板６２は、下端部の外側面６２ａにおいて、下側容器３の嵌合用凹部３５と嵌合する嵌合用凸部６３が周方向に沿って形成されている。このため、中蓋６が下側容器３に完全に嵌合したとき、この嵌合用凸部６３が下側容器３の嵌合用凹部３５に係合することにより、後述するように中蓋６が上側容器４により押し上げられるまで下側容器３の開口部３３に嵌合した状態を維持する。
【００３６】
次に、本容器１における収容袋２の交換方法について、図４および図５を参照しつつ説明する。
【００３７】
図４は、本容器１から収容袋２を取り出すに際して、上側容器４と下側容器３を分離する過程を示す断面図である。
【００３８】
まず、図４（ａ）に示すように、上側容器４と下側容器３が完全に結合した状態において、上側容器４を下側容器３に対して平面視で反時計方向に回していくと、上側容器４が下側容器３から上方に離間していく。
【００３９】
このとき、図４（ａ）から図４（ｂ）に示すように、上側容器４が下側容器３から離間するのに伴って、中蓋６の天板６１が上側容器４の内側空間Ｓを相対的に下方に移動することによって、中蓋６が下側容器３の開口部３３に嵌合された状態を維持するため、中蓋６の天板６１により収容袋２を押さえながら、吐出機構５の雄部材５１を収容袋２の雌部材２１からスムーズに引き抜くことができる。
【００４０】
そして、図４（ｂ）に示すように、中蓋６の天板６１が上側容器４の係止部４４により上方に向けて係止されるため、図４（ｂ）から図４（ｃ）に示すように、さらに上側容器４が下側容器３から離間するのに伴って、上側容器４により中蓋６を持ち上げながら下側容器３の開口部３３から自動的に取り外すことができる。
【００４１】
図５は、本容器１に収容袋２を格納するに際して、上側容器４と下側容器３を結合する過程を示す断面図である。
【００４２】
まず、図５(ａ）に示すように、上側容器４と下側容器３が完全に離間した状態から、上側容器４の雌螺子部４３と下側容器の雄螺子部３４を接した状態として、上側容器４を下側容器３に対して平面視で時計方向に回していくと、上側容器４が下側容器３に近接していく。
【００４３】
このとき、図５（ａ）から図５（ｂ）に示すように、上側容器４が下側容器３に近接するのに伴って、中蓋６の側板６２の嵌合用凸部６３が下側容器３の上端部に接触して上方に押し上げられることにより、中蓋６の天板６１が上側容器４の内側空間Ｓを相対的に上方に移動するため、吐出機構５の雄部材５１を収容袋２の雌部材２１にスムーズに差し込むことができる。
【００４４】
そして、図５（ｂ）に示すように、中蓋６の天板６１が上側容器４の天壁４２の下面により下方に向けて係止されるため、図５（ｂ）から図５（ｃ）に示すように、さらに上側容器４が下側容器３に近接するのに伴って、上側容器４により中蓋６を押さえながら下側容器３の開口部３３に自動的に嵌合することができる。
【００４５】
而して、一般消費者は、本容器１に格納された収容袋２を交換する際、上側容器４と下側容器３を分離して、下側容器３から空の収容袋２を取り出した後、下側容器３に新たな収容袋２を格納して、上側容器４と下側容器３を結合するという簡易な作業によって、本容器１における収容袋２を確実に交換することが可能となる。
【００４６】
しかも、下側容器３の側面に収容袋を収容するための開口部を必ずしも設ける必要がないため、本容器１のデザインの自由度を向上させることが可能となる。
【００４７】
＜第２の実施形態＞
次に、本発明に係る第２の実施形態について図６を参照しつつ説明する。なお、以下では上記の実施形態と異なる構成についてのみ説明することとし、同一の構成については説明を省略して同一の符号を付すこととする。
【００４８】
本実施形態では、中蓋６は、上側容器４の筒状部４５の内周面の下端部に形成された係止部４４により上方に向けて係止されるものとなされている。
【００４９】
具体的には、この中蓋６は、天壁６１の上面中央部において中蓋用上側筒状部６４が形成されている。そして、中蓋用上側筒状部６４は、上側筒状部４５の内部に上下方向に移動可能な態様で挿通し、上端部が上側筒状部４５の係止部４４により上方に向けて係止される。
【００５０】
これにより、中蓋６は、上側容器４の内側空間Ｓを相対的に上下方向に移動し得るとともに、上側容器４により上方に向けて係止され得る。
【００５１】
＜第３の実施形態＞
次に、本発明に係る第３の実施形態について図７を参照しつつ説明する。
【００５２】
本実施形態では、中蓋６は、上側容器４の下側筒状部４６の外周面の下端部に形成された係止部４４により上方に向けて係止されるものとなされている。
【００５３】
具体的には、下側筒状部４６は、上側容器４の天壁４２の下面中央部において吐出機構５の雄部材５１が挿通可能な態様で設けられている。そして、中蓋６の天板６１は、下側筒状部４６に上下方向に移動可能な態様で挿通されるとともに、貫通孔６１ｂの周縁部が下側筒状部４６の係止部４４に上方に向けて係止される。
【００５４】
これにより、中蓋６は、上側容器４の内側空間Ｓを相対的に上下方向に移動し得るとともに、上側容器４により上方に向けて係止され得る。
【００５５】
なお、上記実施形態において、前記下側容器３は、周壁３１の外周面３１ａに雄螺子部３４が形成されるものとしたが、周壁３１の内周面３１ｂに雌螺子部が形成されていてもよい。また、前記上側容器４は、周壁４１の内周面４１ａに雌螺子部４３が形成されているものとしたが、周壁４１の外周面４１ｂに雄螺子部が形成されていてもよい。
【００５６】
また、前記中蓋６は、中蓋６の側板６２の外側面６２ａと下側容器３の内周面３１ｂが当接する態様で下側容器３の開口部３３に嵌合するものとしたが、中蓋６の側板６２の内側面６２ｂと下側容器３の外周面３１ａが当接する態様で下側容器３の開口部３３に嵌合してもよい。
【００５７】
また、前記中蓋６に嵌合用凸部６３を形成し、かつ前記下側容器３に嵌合用凹部３５を形成したが、中蓋６に嵌合用凹部を形成し、かつ下側容器３に嵌合用凸部を形成して、それらが係合するものとしてもよい。また、下側容器３または中蓋６のいずれかに嵌合用凸部のみを形成して、該嵌合用凸部を対向する中蓋６または下側容器３に対して当接させてもよい。また、下側容器３および中蓋６のいずれにも嵌合用凸部を形成して、両嵌合用凸部を互いに係合させてもよい。
【００５８】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５９】
１…流体吐出容器
２…収容袋
２１…雌部材
２２…貫通孔
３…下側容器
３１…周壁
３１ａ…外周面
３１ｂ…内周面
３２…底壁
３３…開口部
３４…雄螺子部
３５…嵌合用凹部
４…上側容器
４１…周壁
４１ａ…内周面
４１ｂ…外周面
４２…天壁
４３…雌螺子部
４４…係止部
４５…上側筒状部
５…吐出機構
５１…雄部材
５１ａ…吸入口
５２…ポンプ部
５３…吐出口
６…中蓋
６１…天板
６１ａ…周端部
６１ｂ…貫通孔
６２…側板
６２ａ…外側面
６２ｂ…内側面
６３…嵌合用凸部
Ｓ…内側空間
【図１】
2020019561.tif 000003
【図２】
2020019561.tif 000004
【図３】
2020019561.tif 000005
【図４】
2020019561.tif 000006
【図５】
2020019561.tif 000007
【図６】
2020019561.tif 000008
【図７】
2020019561.tif 000009